(57)【要約】【課題】折り畳んだ状態のバッグ本体に収容し得るキャリーバッグのハンドルを提供すること。【解決手段】バッグ本体ＢＨの上部位置と下部位置に着脱自在に取り付けられる取付側部分（パイプ８８，８９）と、バッグ本体ＢＨの上面部よりも上方に延びている把手側部分（パイプ８６，８７）から成るハンドルであって、前記取付側部分及び把手側部分はそれぞれ２本のパイプを振り出しの形態で連結して成るものとしてある。【選択図】図３
0003123171.tif 000002
【実用新案登録請求の範囲】
【請求項１】
バッグ本体の上部位置と下部位置に着脱自在に取り付けられる取付側部分と、バッグ本体の上面部よりも上方に延びている把手側部分から成るハンドルであって、前記取付側部分及び把手側部分はそれぞれ２又は３本のパイプを振り出しの形態で連結して成るものとしてあることを特徴とするキャリーバッグのハンドル。
【請求項２】
取付側部分及び把手側部分は、最縮短化した状態においてバッグ本体の下面部に載置収容できる長さに設定してあることを特徴とする請求項１記載のキャリーバッグのハンドル。
【請求項３】
取付側部分と把手側部分相互は振り出しの形態で連結してあることを特徴とする請求項１又は２記載のキャリーバッグのハンドル。
【請求項４】
バッグ本体の上部位置と着脱する手段は、バックルであることを特徴とする請求項１乃至３のいずれかに記載のキャリーバッグのハンドル。
【考案の詳細な説明】
【技術分野】
【０００１】
この考案は、キャリーバッグのハンドルに関するものである。
【背景技術】
【０００２】
キャリーバッグは、通常、ファスナーにより開閉できる直方体状のバッグ本体と、前記バッグ本体の下面部に取り付けられた一対のキャスターと、前記バッグ本体の後面部側に固定されたハンドルとを有するものであり、上方に引き上げられた状態のハンドルの把持部を手で引きながらキャスターを利用してバッグ本体を移動させるようにしてある（例えば、引用文献１。）。なお、上記ハンドルは、バッグ本体の上面部から突出した部分は伸縮自在であり、縮短したときには把持部は上面部近傍に位置し、伸長したときには把持部は上面から離れた位置、つまりバッグ本体を引っ張りやすい位置に移動させ得るようになっている。
【０００３】
したがって、持ち運びする物が重い場合や、長期の旅行等においては、非常に便利である。
【０００４】
しかしながら、この種のキャリーバッグのバッグ本体は、一般のバッグと比較して大きく且つ縦長であるから、不使用時における必要収納スペースを大きく取り、また、収納物を入れない状態でのキャリーバッグの手提げによる持ち運びがしづらいという問題がある。
【０００５】
上記問題を解決する手段として、バッグ本体を折り畳みし得るものにすることが考えられるが、この場合、ハンドルをどのように取り扱うかが問題となっている。
【考案の開示】
【考案が解決しようとする課題】
【０００６】
そこで、この考案では、折り畳んだ状態のバッグ本体に収容し得るキャリーバッグのハンドルを提供することを課題とする。
【課題を解決するための手段】
【０００７】
（請求項１記載の考案）
この考案のキャリーバッグは、バッグ本体の上部位置と下部位置に着脱自在に取り付けられる取付側部分と、バッグ本体の上面部よりも上方に延びている把手側部分から成るハンドルであって、前記取付側部分及び把手側部分はそれぞれ２又は３本のパイプを振り出しの形態で連結して成るものとしてある。
【０００８】
（請求項２記載の考案）
この考案の縦長バッグは、上記請求項１記載の考案に関し、取付側部分及び把手側部分は、最縮短化した状態においてバッグ本体の下面部に載置収容できる長さに設定してある。
【０００９】
（請求項３記載の考案）
この考案の縦長バッグは、上記請求項１又は２記載の考案に関し、取付側部分と把手側部分相互は振り出しの形態で連結してある。
【００１０】
（請求項４記載の考案）
この考案の縦長バッグは、上記請求項１乃至３のいずれかに記載の考案に関し、バッグ本体の上部位置と着脱する手段は、バックルである。
【考案の効果】
【００１１】
この考案のキャリーバッグのハンドルによると、折り畳んだ状態のバッグ本体に収容し得る。
【考案を実施するための最良の形態】
【００１２】
以下にこの考案のキャリーバッグのハンドルを実施するための最良の形態として実施例について詳しく説明する。
【実施例１】
【００１３】
図１はこの考案の実施例１におけるキャリーバッグＢの前面部側から見た斜視図、図２は前記キャリーバッグＢの後面部側から見た斜視図、図３は前記キャリーバッグＢのバッグ本体ＢＨから伸長した状態のハンドル８を取り外した状態の斜視図、図４はハンドル８を縮短した状態の斜視図を示している。
【００１４】
（このキャリーバッグＢの基本的構成について）
このキャリーバッグＢは、図１や図２に示すように、左・右側面部１，２と、前面部３と、後面部４と、上面部５と、下面部６からバッグ本体ＢＨを構成して成り、前記下面部６の下面に一対のキャスター７，７を設けてあると共に、後面部４側に上下方向に伸縮可能なハンドル８を取り付けてある。
【００１５】
また、このキャリーバッグＢでは、前面部３は左・右側面部１，２及び上面部５に対してファスナーＦを介して取り付けられており、前記ファスナーＦの開操作により、前面部３の下側部を揺動支点とする態様で開状態にできるようにしてある。
【００１６】
さらに、このキャリーバッグＢの左・右側面部１，２、前面部３、後面部４、上面部５及び下面部６は、基本的には、表生地と裏生地より芯材を挟み込むようにして構成してあり、折り畳むための折り代Ｌ１，Ｌ２部分のみ芯材が入っていない構造としてある。つまり、折り代Ｌ１，Ｌ２部分を芯材が入っている部分の剛性よりも極端に低くし、前面部３を開いた状態において上面部５から下方に一定以上の力が加わると、必ず折り代Ｌ１，Ｌ２部分で折り曲げられてバッグ本体ＢＨが所定の偏平状態になるようにしてある。
【００１７】
（バッグ本体ＢＨを構成する左・右側面部１，２、前面部３、後面部４、上面部５及び下面部６について）
左・右側面部１，２は、図１や図２に示すように、これの高さ方向中程の水平ラインを凸の折り代Ｌ１とし、また、前面部３側から後面部５側に向かって上方又は下方に傾斜するラインを凹の折り代Ｌ２としている。更に左・右側面部１，２には、図１や図２に示すように、その上部域に小バックル雌部分１０，２０を設けている。
【００１８】
前面部３は、図１に示すように、これの高さ方向中程の水平ラインを凸の折り代Ｌ１とし、下面部６とのつなぎ目ラインを凸の折り代Ｌ１としている。また、この前面部３には外面側に、ファスナーｆ１，ｆ２で開閉できる大小の収容部３０，３１を設けてある。なお、この前面部３を折り代Ｌ１，Ｌ１で折り畳んだ状態では、当該前面部３は下面部６内に収まるようになっている。
【００１９】
後面部４は、図２に示すように、これの高さ方向中ほどの水平ラインを凹の折り代Ｌ２とし、下面部６とのつなぎ目ラインを凸の折り代Ｌ１としている。
【００２０】
上面部５には、折り代Ｌ１，Ｌ２は存在しないが、伸長状態にあるハンドル８の長さ方向中程部を着脱自在に取り付けるためのバックル雌部分５０、手提げするための把手５１、及び小バックル雌部分６２，６２との係止により折り畳まれたバッグ本体ＢＨの状態を維持する左右一対の小バックル雄部分５２，５２を備えている。なお、小バックル雄部分５２，５２は、図１や図２に示すように、帯状体５２ａを介して上面部５に取り付けられている。
【００２１】
下面部６は、図１〜図３に示すように、浅い容器形状に形成されて成るものであって折り代Ｌ１，Ｌ２は存在しないが、ハンドル８の最下部近傍を着脱自在に取り付けるための係止孔付き板材６３（係止孔６４，６４）、折り畳んだ状態のバッグ本体ＢＨを手提げするための把手６１、及び小バックル雄部分５２，５２との係止により折り畳まれたバッグ本体ＢＨの状態を維持するための左右一対の小バックル雌部６２，６２を備えている。
【００２２】
（キャスター７，７について）
キャスター７は、図２や図３に示すように、下面部６の後部側の左右に設けられた金属加工板材６５に正逆回転自在に取り付けられている。
【００２３】
（ハンドル８について）
ハンドル８は、図３や図４に示す如く、振り出し（アンテナや釣り竿の如き伸縮する構造）となるように４種類の異径のパイプ８６，８７，８８，８９を伸縮可能に繋いだ棒状体を二本併設し、パイプ８６，８６の最上部相互間に把持部８０を、パイプ８８，８８の最上部相互間に上取付部材８１を、パイプ８９，８９の最下部相互間に下取付部材８２を、それぞれ架設固定して構成してある。なお、この実施例においては、図２や図３に示すように、パイプ８６，８７がハッグ本体ＢＨを取り付けるための取付側部分であり、パイプ８８，８９がハッグ本体ＢＨの上面よりも上方に延びている把手側部分となっている。
【００２４】
把持部８０には、図３や図４に示すように押しボタン８０ａを設けてあり、押しボタン８０ａを押込み状態にすることにより最長又は最短に伸縮でき且つ前記最長又は最短状態で押しボタン８０ａを非押込み状態にすることによりその状態が維持されるようにしてある。
【００２５】
上取付部材８１には、図３や図４に示すように、バックル雄部分８１ａが揺動自在に取り付けてあり、前記バックル雄部分８１ａはパイプ８６，８７，８８，８９の長手方向に対して平行又は起立状態となり得るようにしてある。
【００２６】
下取付部材８２には、図３や図４に示すように、上部に押しボタン８２ａを設けると共に側面に一対の係止爪８２ｂ，８２ｂを接近・離反可能に設けてある。なお、この実施例では、押しボタン８２ａを押し込むと、バネの付勢力に抗して一対の係止爪８２ｂ，８２ｂ相互が離反する方向に移動するようにしてあり、この状態においてのみ当該係止爪８２ｂ，８２ｂが係止孔６４，６４に挿入できるようにしてある。そして、前記状態において、押込み力を取り除いて押しボタン８２ａを非押込み状態にすると、係止爪８２ｂ，８２ｂと係止孔６４，６４の構成壁とが係止した状態が維持されるようになっている。
【００２７】
（縦長バッグ、つまりこのキャリーバッグＢの優れた機能について）
このキャリーバッグＢは、使用状態においては比較的大きな容量であり、上方に引き伸ばされた状態の把持部8を手で引きながらキャスターを利用してバッグ本体BHを移動させることができる。この点について従来のものと同様である。
【００２８】
ここで、このキャリーバックＢは以下の(1)〜(5)のようにすれば、上下方向に折り畳むことができる。
(1)バックル雄部分８１ａとバックル雌部分５０との係止を解除すると共に、押しボタン８２ａを押込んで係止爪８２ｂと係止孔６４との係止を解除し、図２の状態から図３の状態に示すように、ハンドル8をバッグ本体BHから取り外す。
(2)ファスナーＦを開操作して、図５に示す如き前面部３の下端側を揺動支点とする態様で開状態にし、その後、図６に示すように、前面部３を折り代Ｌ１，Ｌ１を利用して折り畳んだ状態で下面部６上に収容載置する。
(3) ハンドル８の押しボタン８０ａを押込み、図４に示すように、ハンドル８を縮短する。そして、図７に示すように、縮短状態にあるハンドル８を折り畳んだ状態にある前面部３上に載せ置く。
(4)上面部５を下方に向かって押し込んでいく。すると、バッグ本体ＢＨは、図８に示すように、凸の折り代Ｌ１部分と、凹の折り代Ｌ２部で所定に折れ曲がり、図８や図９に示すように、バッグ本体ＢＨは上下方向に偏平化していく。
(5)バッグ本体ＢＨを極力偏平化させた図９の状態にし、小バックル雄部分５２と小バックル雌部分６２とを係止状態にする。この係止状態では バッグ本体ＢＨの偏平状態が維持された状態となる。
【００２９】
したがって、このキャリーバッグBによると、必要に応じて占有空間を小さくでき且つ手提げによる持ち運びが円滑にできることが明らかである。
【００３０】
(その他の実施の形態について)
上記実施例１では、この考案の直方体形状の縦長バッグをキャリーバッグとしているが、これに限定されることなく、直方体形状の縦長バッグであれば全て適用できる。
【００３１】
上記実施例１では、下面部に小バックル雌部分６２を設けるようにしたが、これに限定されることなく、左・右側面部１，２の下域部に雌部分６２を設けるようにしてもよい。
【００３２】
上記実施例１では、下面部６は浅い容器形状に形成されて成るものとしているが、左・右側面部１，２等と同じ壁面部を採用してもよい。
【００３３】
上記実施例１では、パイプ８６，８７がハッグ本体ＢＨを取り付けるための取付側部分となり、パイプ８８，８９がハッグ本体ＢＨの上面よりも上方に延びている把手側部分となっているが、これに限定されることなく、三本パイプがバッグ本体ＢＨを取り付けるための取付側部分となり、三本のパイプがバッグ本体ＢＨの上面よりも上方に延びている把手側部分となっているものでもよい。
【図面の簡単な説明】
【００３４】
【図１】図１はこの考案の実施例１における直方体形状の縦長バッグ（キャリーバッグ）の前面部側から見た斜視図。
【図２】前記縦長バッグの後面部側から見た斜視図。図３は前記縦長バッグのバッグ本体から、伸長した状態ハンドルを取り外した状態の斜視図。
【図３】前記縦長バッグのバッグ本体から伸長した状態ハンドルを取り外した状態の斜視図。
【図４】前記ハンドルの縮短した状態の斜視図
【図５】バッグ本体の前面部を開いた状態を示す斜視図。
【図６】前面部を折り畳んでバッグ本体の下面部上に載せ置いた状態を示す斜視図。
【図７】図６の状態にある下面部上に、縮短されたハンドルを載せ置いた状態を示す斜視図。
【図８】バッグ本体が、凸の折り代部分と、凹の折り代部分で所定に折れ曲がり上下方向に偏平化していく様子を示す斜視図。
【図９】バッグ本体を極力偏平化させ、前記偏平化を維持すべく小バックル雄部分と小バックル雌部分とを係止状態にした状態を示す斜視図。
【符号の説明】
【００３５】
Ｂ      キャリーバッグ
ＢＨ    バッグ本体
Ｌ１    凸の折り代
Ｌ２    凹の折り代
１      左側面部
２      右側面部
３      前面部
４      後面部
５      上面部
６      下面部
７      キャスター
８      ハンドル
５２    小バックル雄部分
６２    小バックル雌部分
【図１】
0003123171.tif 000003
【図２】
0003123171.tif 000004
【図３】
0003123171.tif 000005
【図４】
0003123171.tif 000006
【図５】
0003123171.tif 000007
【図６】
0003123171.tif 000008
【図７】
0003123171.tif 000009
【図８】
0003123171.tif 000010
【図９】
0003123171.tif 000011